(57)【特許請求の範囲】
【請求項１】
食品を収納する複数の容器の一方を密閉するように他方を蓋として重ね合わせて冷蔵庫の内部に収納する食品収納装置であって、前記複数の容器の間の接合面それぞれに設けられ凸部及び凹部又は段差部又はストッパーの当接により位置決め可能で上部の容器と下部の容器との間でスライドできるレールを有し、前記レールの方向に上部の容器を下部の容器の上をスライドさせ、且つ、下部の容器を上部の容器の下でスライドさせて前記冷蔵庫の棚又は前記冷蔵庫のポケット内に戴置された状態で前記容器内の食品出し入れが出来ることを特徴とする冷蔵庫の食品収納装置。
【請求項２】
前記複数の容器のスライドさせる前後方向の形状を対称とすることを特徴とする請求項１記載の冷蔵庫の食品収納装置。
【請求項３】
前記複数の容器の一方を反転することにより前記複数の容器を位置決めし密閉することを特徴とする請求項１記載の冷蔵庫の食品収納装置。
【請求項４】
冷蔵庫本体における棚レール又は仕切壁内の空間又は鈎形状と前記容器における外形面又は鈎形状との当接により前記容器を位置決めし又は収納する又は密閉することを特徴とする請求項１記載の冷蔵庫の食品収納装置。
【請求項５】
冷蔵庫本体に設けたレールに沿って前記複数の容器がスライドすることを特徴とする請求項１記載の冷蔵庫の食品収納装置。
【請求項６】
前記容器の一部又は全体に金属を用いたことを特徴とする請求項１ないし５のいずれかに記載の冷蔵庫の食品収納装置。
【請求項７】
前記複数の容器の少なくとも１つに消臭剤又は抗菌剤又は消臭剤と抗菌剤とを添加することを特徴とする請求項１ないし６のいずれかに記載の冷蔵庫の食品収納装置。
【発明の詳細な説明】
【０００１】
【発明の属する技術分野】
この発明は、冷蔵庫に設置する収納装置の構成と形状に関するものである。
【０００２】
【従来の技術】
図３０は例えば特開平３−２１７７８１号公報に示された従来の食品収納装置を示す斜視図である、１は冷蔵庫本体で、２は冷蔵室であり、３は冷蔵室２内部に設けられた引出式の小物容器、４は複数列の卵収納孔列が設けられた４Ａの卵載置板部と、この４Ａで示す第１の載置板部より少ない列数の卵収納孔列が設けられ該第１の卵載置板部４Ａと平行な面内に４Ｂで示す第２の卵載置板部をもつ一体成形の食品容器であり、食品容器４は小物容器３内に図３１、図３２のように反転可能に収納される。
【０００３】
このような従来の食品収納装置では、図３１、図３２のように小物容器３内の食品容器４を反転させることで卵を収納する孔の数が変化でき、食品の収納数を食品容器４を反転することで調節できる。また、食品容器４の下側に位置したときの卵載置板部４Ａ及び４Ｂの上に、卵以外の食品等を収納することができ冷蔵庫内を有効に活用できるようにしている
【０００４】
【発明が解決しようとする課題】
従来の食品収納装置は以上のように卵の収納数の変化及びスペースの利用を食品容器４の形状により反転することで卵収納数を変化させていて、小物容器３は冷蔵庫本体１のレールに配置され、その用途が制限されているため、小物容器３を有効に利用して冷蔵庫のスペースを有効に利用する必要が有る。また、従来の食品収納装置は卵が冷蔵庫内の空間と隔離されておらず、卵からの菌の繁殖が問題となる可能性があり、菌の拡散を防ぐため密閉して収納する必要があるなどの問題があった。
【０００５】
この発明は上記のような問題点を解消するためになされたもので，小物容器を利用して卵の収納数を変化できるとともに，卵を密閉して収納できる食品収納装置を得ること目的としたものである。さらに卵以外の品をこの装置の利用により効率よく収納することを目的とする。
【０００６】
【課題を解決するための手段】
この発明に係る冷蔵庫の食品収納装置は、食品を収納する複数の容器の一方を密閉するように他方を蓋として重ね合わせて冷蔵庫の内部に収納する食品収納装置であって、複数の容器の間の接合面それぞれに設けられ凸部及び凹部又は段差部又はストッパーの当接により位置決め可能で上部の容器と下部の容器との間でスライドできるレールを有し、レールの方向に上部の容器を下部の容器の上をスライドさせ、且つ、下部の容器を上部の容器の下でスライドさせて冷蔵庫の棚又は冷蔵庫のポケット内に戴置された状態で容器内の食品出し入れが出来るものである。
【０００７】
また、この発明に係る冷蔵庫の食品収納装置は、複数の容器のスライドさせる前後方向の形状を対称とするものである。
【０００８】
また、この発明に係る冷蔵庫の食品収納装置は、複数の容器の一方を反転することにより複数の容器を位置決めし密閉する。
【０００９】
また、この発明に係る冷蔵庫の食品収納装置は、冷蔵庫本体における棚レール又は仕切壁内の空間又は鈎形状と容器における外形面又は鈎形状との当接により容器を位置決めし又は収納する又は密閉する。
【００１０】
また、この発明に係る冷蔵庫の食品収納装置は、冷蔵庫本体に設けたレールに沿って複数の容器がスライドするものである。
【００１１】
また、この発明に係る冷蔵庫の食品収納装置は、容器の一部又は全体に金属を用いたものである。
【００１２】
また、この発明に係る冷蔵庫の食品収納装置は、前記複数の容器及び食品容器の少なくとも１つに消臭剤または抗菌剤または消臭剤と抗菌剤とを添加するものである。
【００１６】
【発明の実施の形態】
実施の形態１．
図１はこの発明の実施の形態の一例を示す図で，図１は部品構成の斜視図である。図２は４と５と６の樹脂製の容器の使用形態の一例を示す図である。４は複数個の孔をもつ食品容器である。５は食品を収納する第１の容器、６は上記第１の容器５と同様に食品を収納する第２の容器である。第２の容器６は第１の容器５の上に重ねる構成で２段の容器を構成する。食品容器４は第１の容器５と第２の容器６の内側に入れられ卵を立てて収納または小物類を整然と配列し収納する。
【００１７】
図２の構成で、図３に示すように全体が断熱性のある仕切壁により仕切られた冷蔵室２と扉をもつ冷蔵庫本体１の冷蔵室２の棚７の囲む空間に収納する。図３は冷蔵庫内に第１の容器５及び第２の容器６を組み合わせて収納した状態を示している。第１の容器５と第２の容器６の各容器に食品を満たし、２段に配置して構成する場合、棚７の間隔の狭い空間に食品の密度が高い収納がなされる。
【００１８】
図４では、第１の容器５なしで第２の容器６だけで使用する場合を示す。第２の容器６の下端面から卵９の頂点までが占める空間の高さが、冷蔵室の棚７の間隔の３分の１以下の高さであり、第２の容器６及び収納食品全体を引き出すことなく第２の容器６の側面から収納食品に接触し出し入れする構成となる。また第２の容器６と食品容器４を組み合わせて卵を立てて収納することもできる。
【００１９】
図５では、第１の容器５と食品容器４を組み合わせて使用した場合を示している。第１の容器５のフランジ５Ａが卵を立てて収納したときの卵の高さより高く、他の品との接触を第１の容器５のフランジ５Ａで防ぐことができ、卵と周囲の空間との直接に接触する面積は少ない。
【００２０】
図６では、前記の図２から第２の容器６を上下反転させ、第１の容器５の蓋として使用する構成を示す。蓋として使用することで、卵等冷蔵庫内に収納する食品からの菌の繁殖、匂い移りを防ぐことができる。以後の記述では、第２の容器６を上下反転した場合と反転しない場合共に第１の容器５と第２の容器６を組み合わせる構成で使用可能である。
【００２１】
図７では、第１の容器５と第２の容器６を組み合わせた構成を示す図である。図において、６Eは第２の容器６の底部で第１の容器５のフランジ５Ａと合わせ面にて密着し、内側に保存した食品を密閉する空間を形成する。フランジ５Ａの高さは市販の卵９を収納した卵パック１２より高く、第１の容器５に卵９を卵パック１２に入れたままの状態で収納しても、卵パック１２に第２の容器６の底部６Ｅに接触せず、第１の容器５、第２の容器６容器６を重ねる構成をとる。
【００２２】
また、図８は第１の容器５並びに第２の容器６とその内部に卵９を収納した食品容器４を収納した構成を示す。卵９を立てた状態でも、第２の容器６を卵９に接触することなく重ねることができる。さらに、図９は第１の容器５並びに第２の容器６の内部に卵９を収納した構成を示す。食品容器４を使用せず、卵９を重ねて収納した状態で、第２の容器６を卵に接触することなく重ねることができる。
【００２３】
実施の形態２．
上記の実施の形態の第１の容器５、第２の容器６、食品容器４に抗菌剤又は、消臭剤又は、抗菌剤と消臭剤の両方を混入させることで、菌の繁殖を防ぎ、消臭することも可能である。ここに消臭剤とは有機系消臭剤もしくは無機系消臭剤を指し、抗菌剤とは有機系抗菌剤もしくは無機系抗菌剤を指す。
【００２４】
また、消臭剤や抗菌剤を使用した食品容器４、第１の容器５、第２の容器６を樹脂容器として成形時に、樹脂ペレットと着色用ペレットに消臭剤もしくは抗菌剤、または消臭剤と抗菌剤の双方を混合したものを混ぜ合わせて成形加工する。または、着色ペレットと消臭剤もしくは抗菌剤または消臭剤と抗菌剤の双方を含んだペレットと樹脂ペレットを混合し成形する。さらに、樹脂容器として食品容器４の表面に光沢のある外観とするには消臭剤もしくは抗菌剤または、消臭剤及び抗菌剤を混ぜたペレットに光拡散剤を混合させて樹脂容器を成形加工して仕上げる。
【００２５】
実施の形態３．
図１０に示すのは、上記の実施の形態において第１の容器５と第２の容器６のフランジ部に切欠き形状５Ｍ、６Ｍを設けた例である。第２の容器６を第１の容器５へ重ね合わせると、切欠き形状５Ｍと第２の容器６の凸部、切欠き形状６Ｍと第１の容器５の凹部が嵌まり込むため、切欠き形状５Ｍと切欠き形状６Ｍの囲む空間は密閉される。図１１には上記図１０のへの実施例として食品を収納した例を示し、ワイン等の瓶を第１の容器５または第２の容器６に形成された切り欠き形状５Ｍ、６Ｍを利用し位置決めして収納できる。
【００２６】
実施の形態４．
上記の実施の形態において、図１に示す第１の容器５と第２の容器６と食品容器４を前後対称の形状とすることで、前後の区別なく冷蔵庫内等に収納した場合も、食品の出し入れ、保管という使用上の支障発生を防止する。
【００２７】
実施の形態５．
上記の実施の形態において、第１の容器５又は第２の容器６又は食品容器４に冷蔵庫内等に収納した場合に、食品の出し入れ、食品の保管という使用上、支障が発生する場合は、前後の区別をつけるマークを印刷又は，刻印で設けることで、このマークにより収納品の新旧の区別が可能となる。また、第１の容器５又は第２の容器６又は食品容器４の形状を前後非対称とし、第１の容器５と第２の容器６の前後の区別が解る。
【００２８】
実施の形態６．
図１では、第１の容器５と第２の容器６に取っ手５Ｂ、５Ｃ、６Ｂ、６Ｃを設けた上記の実施の形態の例を示しているが、第１の容器５または第２の容器６或いは第１の容器５と第２の容器６の双方の取っ手５Ｂ、５Ｃ、６Ｂ、６Ｃをつかんでスライドし引き出すことができる。前後に取っ手５Ｂと５Ｃ、６Ｂと６Ｃを設けることで、第１の容器５並びに第２の容器６は取っ手５Ｂと取っ手５Ｃの組、６Ｂと６Ｃとの組という対のどちらであるか区別なく引き出すことができる。図１、図６のように第１の容器５と第２の容器６の接合部に、第１の容器５のフランジ５Ａに凸部である接合形状５Ｄを設け、対面する第２の容器６の開口面に前記接合形状５Ｄに嵌まり込む凹部である接合形状６Ｄを設けることにより、第１の容器５を引き出す時に、と第２の容器６とのはめあいにより接する面がずれる事を防ぎ第２の容器６を重ねる時に固定位置が明確になり固定が容易となる。
【００２９】
また、図２のように第２の容器６の底部６Ｅが第１の容器５のフランジ５Ａの内側に入る寸法として、第２の容器６のフランジ６Ａが第１の容器５のフランジ５Ａの上に載置した第２の容器６が第１の容器５の内側に入り込むのを防ぎ、第２の容器６を第１の容器５と重ねた時に容器６がずれるのを防ぐことができる。さらに、第１の容器５及び第２の容器６に取っ手５Ｂ、５Ｃ、６Ｂ、６Ｃが無くても第１の容器５と第２の容器６を上記の実施の形態で使用できる。
【００３０】
実施の形態７．
図１２では、第１の容器５と第２の容器６の接合部にレール５Ｆ、６Ｆを設ける例を示す。図において、第２の容器６の収納品を取出す時、図１６のように第２の容器６を第１の容器５のレール５Ｆに沿って押し出すことで、庫内から容器全体を取出さなくても第１の容器５の収納品を取出すことができる。また第２の容器６をレール６Ｆ、５Ｆに沿って手前に引いて容器６の収納品を取出すことができる。さらに、図１４のようにレールの接合方法が第２の容器６のレール部６Ｆが第１の容器５のレール部５Ｆの外側でもできる。またさらに、図１７のようにレール５Ｆ、６Ｆの前後に滑らかな段差５Ｈ１と５Ｈ２、６Ｈ１と６Ｈ２を設けることで、第２の容器６がこの段差により位置決めできる。また、引出開始にも滑らかに引き出すことができる。またさらに、レールの段差を前後対称として前後の区別なく使用できる。また、さらに、図１３、図１５のように第２の容器６を第１の容器５の蓋として使用した場合でも前述のように使用できる。
【００３１】
実施の形態８．
図１６では、第２の容器６の底部にストッパー６Ｊを設ける例を示す。第２の容器６を第１の容器５の上でスライドさせた時に、第１の容器５のフランジ部５Ａと第２の容器６のストッパー６Ｊが当り、第２の容器６の動きを停止でき、容第２の容器６が落下するのを防止する。また、図１８では、第１の容器５と第２の容器６のレール５Ｆ、６Ｆに２箇所以上凹凸形状５Ｋ、６Ｋを設ける例を示す。収納時の位置決めが容易となり、引出時にストッパーとして働き、任意の位置での固定が可能となる。凹凸形状が逆でも可能である。
【００３２】
実施の形態９．
図１９、図２０では、第２の容器６のフランジ外側の側面に鈎状の突起物６Ｌを設けた例を示す。図において、１Ｌは冷蔵庫本体の内側背面から手前へ張り出す、または上下に曲がる鈎で容器を引っかける鈎形状、７Ｌは棚７から上または下へ張り出し、前後に曲がる鈎で第２の容器６を引っかける鈎形状である。第１の容器５と第２の容器６を重ねた状態で設置する時に第２の容器６の鈎状突起物６Ｌを冷蔵庫本体の内側背面の鈎形状１Ｌ、または棚の鈎形状７Ｌに引っ掛けることで第１の容器５を引き出すときに第２の容器６は冷蔵庫本体に固定され、第１の容器５だけ引き出すことができるので、片手で第１の容器５と第２の容器６を重ねた状態から第１の容器５に収納された品を取出すことができる。
【００３３】
５Ｑは第１の容器５のフランジ５Aの上面の突起、６Ｑは第２の容器６のフランジ６A面より凹む溝である。食品収納時、第１の容器５を冷蔵庫本体１の内側背面近くに配置されており突起５Ｑは第２の容器６を押し上げているが、食器取り出し時に、第１の容器５を冷蔵庫本体１の背面より引きだした場合、突起５Ｑと溝６Ｑが嵌まり込み、第１の容器５と第２の容器６が引っかかるので、第１の容器５が単独で引き出されて第２の容器６が落下することを防止する。
【００３４】
実施の形態１０．
図２１では、第１の容器５と第２の容器を重ねた状態でも冷蔵室の扉１２のポケット１３の内側に収納できるような寸法とした例を示す。図において、食品を食品容器４に収納し密閉した、または第１の容器５と第２の容器６の内部に収納並びに密閉して容器ポケット１３の内側の左右方向の位置に自由度を有して設置でき、左右どちら開きの扉でも同じ位置に設置することができる。左右どちら開きの扉でも使い勝手が変化しない。
【００３５】
実施の形態１１．
図３では、第１の容器５と第２の容器６を２段に重ねた状態を示す。１Ａは冷蔵庫本体の棚７を上面に載置する棚レールであり、棚レール１Ａに冷蔵庫本体１の奥行き方向に沿い第１の容器５及び第２の容器６をスライドすることで、第２の容器６が第１の容器５との接触面が離れることなく引き出せる。左右両方の側面で同様に、第２の容器６が第１の容器５との接触面が離れることなく引き出し可能であり、左右どちらの扉開きでも使い勝手が変化しない。また、図２２、図２３のようにレールは棚上７Ａ、棚下７Ｂに設けて、冷蔵庫本体の棚７をのせる棚レール１Ａでスライドして引き出す事が可能である。
【００３６】
実施の形態１２．
図３では、第１の容器５と第２の容器６を２段重ねた状態を示す。冷蔵庫本体１の棚レール１Ａの下部に収納可能な寸法とし、冷蔵庫本体１の内側側面に密着する第１の容器５及び第２の容器６の側面は利用されない空間が僅かで収納できる。冷蔵庫本体１の内側について左右どちらの側面に沿っても同様に収納でき、左右どちらの扉開きでも使い勝手が変化しない。
【００３７】
実施の形態１３．
図２４では、第１の容器５又は第２の容器６の一部または、全体に熱伝導性の良い金属１４を用いた例を示す。第１の容器５と第２の容器６により密閉し、空間に金属１４から熱が伝達され、収納されている品の冷却を良くする。
【００３８】
実施の形態１４．
図２５のように第１の容器５のフランジ内側に凸形状５Ｎを設ける例を示す。図において、卵パック１２の端部１２Ａを押さえることができ、上段の容器をスライドさせた場合、卵を包み込んで卵パック１２が閉じた状態のままである。また、卵パック１２の端部１２Ａを凸形状５Ｎから外すことにより、卵パック１２を開くことができる。
【００３９】
実施の形態１５．
図２６、図２７では冷蔵庫本体の仕切壁に空間１Ｂを設けた例を示す。第１の容器５と第２の容器６を重ねた状態で収納できるようにすることで冷蔵庫の仕切壁の空間１Ｂを有効に利用することができる。
【００４０】
実施の形態１６．
図２８では、第１の容器５と第２の容器６とのフランジ部５Ａ、６Ａが下側になるようにして内部に卵および他の品を収納して冷蔵庫本体に置く例を示す。また、図２９では、第１の容器５と第２の容器６の接合部に鈎状のレール５Ｐ、６Ｐを設けることでフランジ部５Ａ、６Ａを下側にした場合でも第１の容器５と第２の容器６が外れないようにできる。
【００４１】
実施の形態１７．
上記の実施の形態において、外気温が低い場合、食品容器４と第１の容器５と第２の容器６を使用して冷蔵庫の外側においても食品の保存ができる。
【００４２】
実施の形態１８．
上記の実施の形態において、第１の容器６を第２の容器５に重ねる使用形態において、臭気のある食品を密閉した状態で収納することで食品の匂い移りを防ぐことができる。
【００４３】
【発明の効果】
この発明に係る冷蔵庫の食品収納装置は、食品を収納する複数の容器の一方を密閉するように他方を蓋として重ね合わせて冷蔵庫の内部に収納する食品収納装置であって、複数の容器の間の接合面それぞれに設けられ凸部及び凹部又は段差部又はストッパーの当接により位置決め可能で上部の容器と下部の容器との間でスライドできるレールを有し、レールの方向に上部の容器を下部の容器の上をスライドさせ、且つ、下部の容器を上部の容器の下でスライドさせて冷蔵庫の棚又は冷蔵庫のポケット内に戴置された状態で密閉容器内の食品出し入れが出来るので、冷蔵庫内の空間に密度高く食品収納が出来、且つ取り出すことが出来る。
【００４４】
また、この発明に係る冷蔵庫の食品収納装置は、複数の容器のスライドさせる前後方向の形状を対称とするので、前後の区別なく冷蔵庫内などに収納しても使用上の支障発生を防止できる。
【００４５】
また、この発明に係る冷蔵庫の食品収納装置は、複数の容器の一方を反転することにより複数の容器を位置決めし密閉するので、食品を密閉保存し菌の増殖を抑える効果がある。
【００４６】
また、この発明に係る冷蔵庫の食品収納装置は、冷蔵庫本体における棚レール又は仕切壁内の空間又は鈎形状と容器における外形面又は鈎形状との当接により容器を位置決めし又は収納する又は密閉するので、容器を冷蔵庫本体に固定でき、レールに沿って引き出して使用することが出来る。
【００４７】
また、この発明に係る冷蔵庫の食品収納装置は、冷蔵庫本体に設けたレールに沿って複数の容器がスライドするので、容器が引き出せる。
【００４８】
また、この発明に係る冷蔵庫の食品収納装置は、容器の一部又は全体に金属を用いたので、冷却を良くする。
【００４９】
また、この発明に係る冷蔵庫の食品収納装置は、前記複数の容器及び食品容器の少なくとも１つに消臭剤または抗菌剤または消臭剤と抗菌剤とを添加したので、食品の匂い移り、菌の繁殖を抑える効果が得られる。
【図面の簡単な説明】
【図１】  この発明の実施の形態１、４、６による食品収納装置の部品構成を示す斜視図である。
【図２】  この発明の実施の形態１、６による食品収納装置の構成を示す斜視図である。
【図３】  この発明の実施の形態１、１１、１２による食品収納装置を冷蔵室の棚への配置示す正面図である。
【図４】  この発明の実施の形態１による食品収納装置を冷蔵室の棚への配置示す側断面図である。
【図５】  この発明の実施の形態１による食品収納装置を示す側断面図である。
【図６】  この発明の実施の形態１、６による食品収納装置の構成を示す斜視図である。
【図７】  この発明の実施の形態１による食品収納装置を示す側断面図である。
【図８】  この発明の実施の形態１による食品収納装置を示す側断面図である。
【図９】  この発明の実施の形態１による食品収納装置を示す側断面図である。
【図１０】  この発明の実施の形態３による食品収納装置を示す斜視図である。
【図１１】  この発明の実施の形態３による食品収納装置を示す斜視図である。
【図１２】  この発明の実施の形態７による食品収納装置を示す断面図である。
【図１３】  この発明の実施の形態７による食品収納装置を示す断面図である。
【図１４】  この発明の実施の形態７による食品収納装置を示す断面図である。
【図１５】  この発明の実施の形態７による食品収納装置を示す断面図である。
【図１６】  この発明の実施の形態７、８による食品収納装置を示す側断面図である。
【図１７】  この発明の実施の形態７による食品収納装置を示す側断面図である。
【図１８】  この発明の実施の形態８による食品収納装置を示す側断面図である。
【図１９】  この発明の実施の形態９による食品収納装置を示す側断面図である。
【図２０】  この発明の実施の形態９による食品収納装置を示す側断面図である。
【図２１】  この発明の実施の形態１０による食品収納装置の冷蔵庫の扉への配置を示す斜視図である．
【図２２】  この発明の実施の形態１１による食品収納装置の冷蔵庫本体の棚下部のレールへの配置を示す斜視図である。
【図２３】  この発明の実施の形態１１による食品収納装置の冷蔵庫本体の棚上部のレールへの配置を示す斜視図である。
【図２４】  この発明の実施の形態１３による食品収納装置の卵収納装置を示す斜視図である。
【図２５】  この発明の実施の形態１４による食品収納装置の断面図である。
【図２６】  この発明の実施の形態１５による食品収納装置への配置を示す斜視図である。
【図２７】  この発明の実施の形態１５による食品収納装置の冷蔵庫本体への配置を示す断面図である。
【図２８】  この発明の実施の形態１６による食品収納装置の冷蔵庫本体への配置を示す正面図である。（５と６の容器は断面図）
【図２９】  この発明の実施の形態１６による食品収納装置を示す断面図である．
【図３０】  従来の発明による食品収納装置を示す斜視図である。
【図３１】  従来の発明による食品収納装置を示す断面図である。
【図３２】  従来の発明による図３１の食品収納装置の食品容器を反転した状態を示す断面図である。
【符号の説明】
４  食品容器、５  第１の容器、５Ａ  フランジ、６  第２の容器、６Ａ  フランジ。
【図１】
0003635947.tif 000002
【図２】
0003635947.tif 000003
【図３】
0003635947.tif 000004
【図４】
0003635947.tif 000005
【図５】
0003635947.tif 000006
【図６】
0003635947.tif 000007
【図７】
0003635947.tif 000008
【図８】
0003635947.tif 000009
【図９】
0003635947.tif 000010
【図１０】
0003635947.tif 000011
【図１１】
0003635947.tif 000012
【図１２】
0003635947.tif 000013
【図１３】
0003635947.tif 000014
【図１４】
0003635947.tif 000015
【図１５】
0003635947.tif 000016
【図１６】
0003635947.tif 000017
【図１７】
0003635947.tif 000018
【図１８】
0003635947.tif 000019
【図１９】
0003635947.tif 000020
【図２０】
0003635947.tif 000021
【図２１】
0003635947.tif 000022
【図２２】
0003635947.tif 000023
【図２３】
0003635947.tif 000024
【図２４】
0003635947.tif 000025
【図２５】
0003635947.tif 000026
【図２６】
0003635947.tif 000027
【図２７】
0003635947.tif 000028
【図２８】
0003635947.tif 000029
【図２９】
0003635947.tif 000030
【図３０】
0003635947.tif 000031
【図３１】
0003635947.tif 000032
【図３２】
0003635947.tif 000033